(57)【特許請求の範囲】
【請求項１】
一対の望遠光学系を備える双眼鏡であって、
ケーシングと、
眼幅調整のために揺動可能な一対の接眼レンズ鏡筒と、
前記一対の接眼レンズ鏡筒の外周面に接する平面に対向する前記ケーシングの底面に沿って延びるクリップ部材とを備え、
前記クリップ部材は、前記底面と所定の間隔を置いて配設されており、眼幅が最大となるよう前記一対の接眼レンズ鏡筒が揺動された状態において、前記一対の接眼レンズ鏡筒の外周面に接する平面に対して前記ケーシングから離れる方向に突出し、眼幅が最小となるよう前記一対の接眼レンズ鏡筒が揺動された状態において、前記一対の接眼レンズ鏡筒の外周面に接する平面よりも前記ケーシング側に後退することを特徴とする取付機構を備えた双眼鏡。
【請求項２】
前記クリップ部材は、前記一対の望遠光学系の光軸を含む面に直交する軸線方向に沿って移動可能であり、眼幅が最大となる状態においては常時前記ケーシングから離れる方向に突出し、眼幅が最小となる状態においては常時前記ケーシング側に後退するように、移動することを特徴とする請求項１に記載の取付機構を備えた双眼鏡。
【請求項３】
前記クリップ部材は、前記ケーシングを覆う外装部材と一体的に形成されていることを特徴とする請求項１に記載の取付機構を備えた双眼鏡。
【請求項４】
前記クリップ部材は、板状部材であることを特徴とする請求項１に記載の取付機構を備えた双眼鏡。
【請求項５】
前記クリップ部材は、
前記一対の望遠光学系の光軸を含む面に直交する軸線方向に沿って移動可能なスライド部と、
前記スライド部と一体的に形成された係合部とを備え、
前記係合部が前記底面に沿い、かつ前記スライド部が、前記ケーシングにおいて前記底面に連続し前記双眼鏡の使用時に使用者の顔面に臨む面に沿うよう、位置決めされることを特徴とする請求項１に記載の取付機構を備えた双眼鏡。
【請求項６】
前記クリップ部材は、前記一対の望遠光学系の光軸を含む面に直交する面であって前記光軸に平行な面に沿って切断した断面形状がＬ字型であることを特徴とする請求項１に記載の取付機構を備えた双眼鏡。
【請求項７】
前記ケーシングには、前記底面に開口部を有し、前記底面に連続した面に沿ってケーシング内部に延びる溝が形成され、前記スライド部は前記溝内に摺動可能に配設されることを特徴とする請求項５に記載の取付機構を備えた双眼鏡。
【請求項８】
前記クリップ部材が前記ケーシングから離脱するのを防止する離脱防止手段を備えることを特徴とする請求項５に記載の取付機構を備えた双眼鏡。
【請求項９】
前記離脱防止手段は、
長手方向が前記軸線方向に延びるよう前記スライド部材に穿設された穴と、
前記穴を挿通するよう前記底面に連続する面に突設された柱状部材を備えることを特徴とする請求項８に記載の取付機構を備えた双眼鏡。
【請求項１０】
前記クリップ部材を前記ケーシングへ近づく方向へ常時付勢する付勢手段を備えることを特徴とする請求項５に記載の取付機構を備えた双眼鏡。
【請求項１１】
長手方向が前記軸線方向に沿って延びるよう前記スライド部に穿設された穴と、
前記穴を挿通するよう、前記一対の望遠光学系の光軸に沿って延び、前記底面に連続する面に突設された第１の柱状部材と、
前記スライド部において、前記一対の望遠光学系の光軸に沿って延びるよう突設された第２の柱状部材とを備え、
前記付勢手段はねじり方向に付勢力を与えるコイルバネであり、一方の端部が前記第１の柱状部材に常時当接し、他方の端部が前記第２の柱状部材に常時当接するよう、前記スライド部材に固定されていることを特徴とする請求項１０に記載の取付機構を備えた双眼鏡。
【請求項１２】
前記第２の柱状部材及び前記コイルバネが、前記スライド部において前記底面に連続する面に対向する面と反対側の面上に突設されることを特徴とする請求項１１に記載の取付機構を備えた双眼鏡。
【発明の詳細な説明】
【０００１】
【発明の属する技術分野】
本発明は双眼鏡の取付機構に関する。
【０００２】
【従来の技術】
従来、双眼鏡は不用意な取り扱いによる衝撃から内部機構を保護したり本体表面に傷が付くのを防止するためソフトケースやハードケースに収納していた。双眼鏡は本来屋外での活動に用いられるものであり、屋外での携行時の簡便性の観点から、このようなケースは身に付けられることが一般的な要望としてあった。例えば、ソフトケースには双眼鏡の収納部分の一方の面に互いに平行な２つの縦長の穴が形成されたタイプのものがあり、その２つの穴にベルトを通すことによりベルトへの装着が可能であった。一方、近年のアウトドア志向を反映して本体の外装に耐衝撃性に優れた素材を用いた双眼鏡が製造されている。このタイプの双眼鏡はケースへの収納は不要であり、身に付ける場合はストラップを双眼鏡本体に取り付けて首から下げるのが一般的である。
【０００３】
【発明が解決しようとする課題】
ところが、ストラップを使用する場合双眼鏡は固定されないため、ケースをベルトに装着する場合に比べ携行時の安定性に欠け、使用感が悪いという問題があった。また、上記のソフトケースの場合、ケースの穴にベルトを挿通するという作業が使用者に煩わしさを感じさせることがあり、取付の簡便性の面で問題があった。
【０００４】
本発明は、以上の問題を解決するものであり、簡便な取付機構を有する双眼鏡を提供することを目的としている。
【０００５】
【課題を解決するための手段】
本発明にかかる取付機構を備えた双眼鏡は、一対の望遠光学系を備える双眼鏡であって、ケーシングと、眼幅調整のために揺動可能な一対の接眼レンズ鏡筒と、一対の接眼レンズ鏡筒の外周面に当接する平面に対向するケーシングの底面に沿って延びるクリップ部材とを備え、クリップ部材は底面と所定の間隔を置いて配設されることを特徴とする。
【０００６】
好ましくは、眼幅が最大となるよう一対の接眼レンズ鏡筒が揺動された状態において、クリップ部材は、一対の接眼レンズ鏡筒の外周面に当接する平面に対して、ケーシングから離れる方向に突出し、眼幅が最小となるよう一対の接眼レンズ鏡筒が揺動された状態において、クリップ部材は、一対の接眼レンズ鏡筒の外周面に当接する平面よりもケーシング側に位置決めされる。
【０００７】
クリップ部材は、例えば、ケーシングを覆う外装部材と一体的に形成された板状部材である。
【０００８】
クリップ部材は、例えば、一対の望遠光学系の光軸を含む面に直交する軸線方向に沿って移動可能なスライド部と、スライド部と一体的に形成された係合部とを備え、係合部がケーシングの底面に沿い、かつスライド部が、ケーシングにおいて底面に連続し双眼鏡の使用時に使用者の顔面に臨む面に沿うよう、位置決めされる。
【０００９】
クリップ部材は、例えば、一対の望遠光学系の光軸を含む面に直交する面に沿って切断した断面形状がＬ字型である。
【００１０】
ケーシングには、底面に開口部を有し、底面に連続した面に沿ってケーシング内部に延びる溝が形成され、スライド部は溝内に摺動可能に配設され、好ましくは、クリップ部材がケーシングから離脱するのを防止する離脱防止手段を備える。
【００１１】
離脱防止手段は、例えば、長手方向が一対の望遠光学系の光軸を含む面に直交する軸線方向に延びるようスライド部材に穿設された穴と、穴を挿通するようケーシングの底面に連続する面に突設された柱状部材を備える。
【００１２】
好ましくは、クリップ部材をケーシングへ近づく方向へ常時付勢する付勢手段を備えている。
【００１３】
好ましくは、長手方向が一対の望遠光学系の光軸を含む面に直交する軸線方向に沿って延びるようスライド部に穿設された穴と、その穴を挿通するよう、一対の望遠光学系の光軸に沿って延び、ケーシングの底面に連続する面に突設された第１の柱状部材と、スライド部において、一対の望遠光学系の光軸に沿って延びるよう突設された第２の柱状部材とを備え、付勢手段はねじり方向に付勢力を与えるコイルバネであり、一方の端部が第１の柱状部材に常時当接し、他方の端部が第２の柱状部材に常時当接するよう、スライド部材に固定されている。
【００１４】
例えば、第２の柱状部材及びコイルバネが、スライド部においてケーシングの底面に連続する面に対向する面と反対側の面上に突設される。
【００１５】
以上のように、本発明によれば、双眼鏡のケーシング自体に係合部材を設けている。従って、ケースへの収納が不要であり屋外等への携行に便利である。
【００１６】
また、双眼鏡のケーシングにおいて一対の接眼レンズ鏡筒の揺動運動に対して変位しない面と係合部材とにより、被係合部材を挟み込みようにして双眼鏡を被係合部材に取り付けられる。従って、被係合部材への取付や取り外しは極めて簡易である。
【００１７】
眼幅が最大となるよう一対の接眼レンズ鏡筒が揺動された状態において、係合部材は、一対の接眼レンズ鏡筒のそれぞれの外周面に同時に接する平面に対して、ケーシングから離れる方向に突出し、眼幅が最小となるよう一対の接眼レンズ鏡筒が揺動された状態において、係合部材は、一対の接眼レンズ鏡筒のそれぞれの外周面に同時に接する平面よりもケーシング側に位置決めされる。即ち、被係合部材への取付状態において、双眼鏡の一対の望遠光学系の光軸を含む面に直交する方向に沿う双眼鏡の厚みが最も小さくなるため、携行時に使用者に与える異物感が軽減される。
【００１８】
また、スライド部と係合部を備える係合部材が設けられた双眼鏡は、離脱防止手段、若しくは付勢手段を備えているため、双眼鏡を被係合部材から外して使用している最中に不用意に紛失することが防止される。
【００１９】
尚、付勢手段としてねじり方向に付勢力を与えるコイルバネに替えて、板バネやスプリング方向に付勢力を与えるコイルバネ等を用いることも可能である。
【００２０】
【発明の実施の形態】
以下、本発明の実施の形態を図面を参照して説明する。
図１は本発明の第１実施形態に係る双眼鏡の平面図である。
双眼鏡１は、一対の対物レンズ、ポロプリズム等の一対の正立光学系を内部に格納するケーシング１０と、一対の接眼レンズ鏡筒１１、１２を備える。接眼レンズ鏡筒１１、１２の間には、視度調整のための円筒形の転輪１３が配設されている。双眼鏡１は、接眼レンズ鏡筒１１、１２をそれぞれ対応する対物レンズの光軸（図示せず）回りに揺動することにより眼幅調整を行なう二軸連動式の双眼鏡である。ケーシング１０は、ＮＢＲ（ニトリルブタジエンゴム）や塩化ビニール系エラストマー等のゴム系材料からなる外装部材により被覆されている。
【００２１】
図２は双眼鏡１を転輪１３が配設された側の反対側から示す平面図、図３は図２を接眼レンズ鏡筒１１の側から示す側面図である。尚、説明の簡略化のため、図３において接眼レンズ鏡筒１１の一部は省略されている。
ケーシング１０において接眼レンズ鏡筒１１、１２に挟まれた面１０Ａは、
双眼鏡１の使用時における底面であり、眼幅調整のための接眼レンズ鏡筒１１、１２の揺動運動から独立した面である。即ち、接眼レンズ鏡筒１１、１２を回転駆動させても面１０Ａは変位しない。フック４０（係合部材）は、ケーシング１０の外装部材と一体的に形成された板状部材であり、面１０Ａと対向するよう間隔１Ｌをおいて位置決めされている。
【００２２】
図４は、双眼鏡１を接眼レンズの側から示す正面図である。接眼レンズ鏡筒１１内には接眼レンズ５０Ｌが保持され、接眼レンズ鏡筒１２内には接眼レンズ５０Ｒがそれぞれ保持されている。図４において、接眼レンズ鏡筒１１、１２は眼幅が最大となるよう、即ち接眼レンズ５０Ｒ、５０Ｌの光軸間の距離が最長となるよう揺動されている。この状態で接眼レンズ鏡筒１１の外周面及び接眼レンズ鏡筒１２の外周面に同時に接する平面Ｐ１に対して、フック４０はケーシング１０から離れる方向に突出している。
【００２３】
図５は、眼幅が最小となるよう、即ち接眼レンズ５０Ｌ、５０Ｒの光軸間の距離が最短となるよう接眼レンズ鏡筒１１、１２を揺動した状態を示す。この状態で接眼レンズ鏡筒１１の外周面及び接眼レンズ鏡筒１２の外周面に同時に接する平面Ｐ２よりもケーシング１０側に位置するよう、フック４０は形成されている。
【００２４】
使用者が第１実施形態の双眼鏡１を自身の衣服の一部、例えばベルトやズボンのウエスト部分のへりに取り付ける際は以下のように行なう。接眼レンズ５０Ｌ、５０Ｒが上を向いた状態でフック４０がベルト等の被係合部材に対して身体側に位置決めされるよう、フック４０の先端部分をベルト等の端部に押し当て、ベルト等をフック４０と面１０Ａで挟み込むようにそのまま双眼鏡１を下方へ押し下げる。その結果、フック４０がベルト等に係合し、双眼鏡１はベルト等に取り付けられる。上述のように、第１実施形態においてフック４０はケーシング１０を覆う外装部材と一体的に設けられる部材である。即ち、外装部材と同様のゴム系材料から成っており可撓性を有している。従って、フック４０は被係合部材の厚みに応じて適度に撓むため、取り付けは容易に行われる。
【００２５】
図６は本発明の第２実施形態に係る双眼鏡２を接眼レンズの側から示す正面図、図７は図６の線Ａ−Ａ矢視断面図であり、第２実施形態の特徴を明示するため一部のみを断面として示してある。図６及び７において、第１実施形態の双眼鏡１と同様の部材には同一の符号を付している。
双眼鏡２のケーシング２０の外周面において面２０Ａは、双眼鏡２の使用時における底面であり、眼幅調整のための接眼レンズ鏡筒１１、１２の揺動運動に対して変位しない。面２０Ｂは、面２０Ａと同一の縁部を共有し面２０Ａに対して所定の角度をもって隣接する面であり、双眼鏡２の使用時において使用者の顔面に臨む面である。面２０Ｂにはトップカバー２１が配設されている。尚、図６においてトップカバー２１は一部を切り欠いて示し、図７においてトップカバー２１は省略されている。溝２０Ｃは、面２０Ａに開口部を有し、面２０Ｂに沿ってケーシング２０の内部に延びるよう形成されている。
【００２６】
フック６０は係合部６１とスライド６２を備え、断面形状が略Ｌ字型の板状部材である。フック６０は、スライド部６２が溝２０Ｃ内に配設されかつ係合部６１が面２０Ａに対向するよう、位置決めされている。スライド部６２は溝２０Ｃ内において、双眼鏡２の一対の望遠光学系の光軸を含む面（図示せず）に直交する軸線Ｙに沿って摺動可能に支持されている。また、スライド部６２にはその長手方向が軸線Ｙに沿って延びる穴６２Ａが穿設されている。
【００２７】
ケーシング２０において面２０Ｂには柱状部材の離脱防止ピン７０が植設されている。離脱防止ピン７０はスライド部６２の穴６２Ａを挿通するよう位置決めされている。従って、スライド部６２は、穴６２Ａの長手方向の長さに相当するストロークで軸線Ｙに沿って溝２０Ｃ内を摺動し、離脱防止ピン７０により溝２０Ｃから離脱するのが防止される。
【００２８】
図６及び７はスライド部６２が溝２０Ｃから最も外側に引き出された状態、即ち面２０Ａと係合部６１の間隔が最大の状態を示している。これに対し図８及び図９（図８の線Ｂ−Ｂ矢視断面図）は、スライド部６２の縁部が溝２０Ｃの底部に当接した状態、即ち面２０Ａと係合部６１の間隔が最小の状態を示している。
【００２９】
図６及び８に示すように、眼幅が最大となるよう接眼レンズ鏡筒１１、１２が揺動された状態では、接眼レンズ鏡筒１１、１２のそれぞれの外周面に同時に接する面Ｐ３に対して、係合部６１は常時、ケーシング２０から離れる方向に突出している。図１０及び１１は、眼幅が最小となるよう接眼レンズ鏡筒１１、１２が揺動された状態を示す。図１０、１１に示すように、眼幅が最小になるよう調節された状態では、接眼レンズ鏡筒１１、１２のそれぞれの外周面に同時に接する面Ｐ４に対して、係合部６１は常時、ケーシング２０側に位置している。
【００３０】
図１２は、本発明の第３実施形態に係る双眼鏡３を接眼レンズの側から示す正面図である。図１２において、第１実施形態の双眼鏡１及び第２実施形態の双眼鏡２と同様の部材には同一の符号を付している。尚、図１２は眼幅が最大となるよう接眼レンズ鏡筒１１、１２を揺動させた状態を示している。
【００３１】
ケーシング３０の面３０Ａは、双眼鏡３の使用時における底面であり、眼幅調整のための接眼レンズ鏡筒１１、１２の揺動運動に対して変位しない。面３０Ｂは、面３０Ａと同一の縁部を共有し面３０Ａに対して所定の角度をもって隣接する面であり、双眼鏡３の使用時において使用者の顔面に臨む面である。フック８０は第２実施形態のフック６０と同様、係合部８１とスライド部８２を備える断面形状がＬ字型の板状部材であり、係合部８１が面３０Ａと対向し、スライド部８２が面３０Ｂと対向するよう配設される。スライド部８２において面３０Ｂと対向する面と反対側の面上において、接眼レンズ鏡筒１２側の角部近傍に支持ピン８３が突設されている。また、スライド部８２の接眼レンズ鏡筒１１側の縁部近傍には、その長手方向が軸線Ｙに沿った穴８２Ａが穿設されており、穴８２Ａにはケーシング３０の面３０Ｂに突設された円柱状の支持ピン３１が挿通している。支持ピン３１は、その直径が穴８２Ａの長手方向に直交する方向の幅よりもわずかに小さくなるよう成型されている。従って、スライド部８２は穴８２Ａの内周面に案内されて軸線Ｙに沿って移動可能であると共に、軸線Ｙに直交する方向への移動が防止される。
【００３２】
支持ピン８３の近傍には、支柱ピン８４が突設されている。支柱ピン８４にはコイルバネ８５が巻回されている。コイルバネ８５の直線状に延びる端部８５Ａは支持ピン８３に当接し、他方の直線状に延びる端部８５Ｂは支持ピン３１に当接している。コイルバネ８５はねじり方向、即ち端部８５Ａと８５Ｂの成す角αが広がる方向に、常時、付勢力を与えている。上述のように、支持ピン３１はケーシング３０の面３０Ｂに固定されており、かつスライド部８２の穴８２Ａを挿通しているため、フック８０は通常、コイルバネ８５の付勢力に抗して図１２に示す位置に停止している。
【００３３】
図１２に示す状態から、フック８０をケーシング３０から離れる方向に引っ張ると、図１３に示すように、支柱ピン８４と支持ピン３１の相対的な位置関係の変化に応じてコイルネジ８５の端部８５Ｂが屈曲する。図１３の状態においてフック８０を引っ張る外力を与えなければ、支持ピン３１はケーシング３０の面３０Ｂに固定されているため、コイルバネ８５の付勢力によりスライド部８２がケーシング３０へ向かう方向へ移動し、図１２に示す位置へ復帰する。
【００３４】
支柱ピン３１は穴８２Ａを挿通しているため、穴８２Ａの長手方向の長さに相当するストロークでスライド部８２は移動する。即ち、図１３に示す位置よりも更に外側にフック８０が引き出されることが防止される。
【００３５】
また、眼幅が最大となるよう接眼レンズ鏡筒１１、１２が揺動された状態において、接眼レンズ鏡筒１１、１２のそれぞれの外周面に同時に接する面Ｐ５に対して、フック８０の係合部８１はケーシング３０から遠ざかる方向へ突出している。図１４、１５は双眼鏡３において眼幅が最小となるよう接眼レンズ鏡筒１１、１２が揺動された状態を示す。フック８０を引き出さない場合（図１４）はもちろんのこと、ケーシング３０から遠ざかる方向に最大限、フック８０を引き出した場合（図１５）も、接眼レンズ鏡筒１１、１２のそれぞれの外周面に同時に接する面Ｐ６よりも、フック８０はケーシング３０側に位置している。
【００３６】
【発明の効果】
以上のように、本発明によればベルト等への取付が容易な双眼鏡が得られる。
【図面の簡単な説明】
【図１】本発明の第１実施形態が適用される双眼鏡の平面図である。
【図２】第１実施形態の双眼鏡を図１と反対側から示す平面図である。
【図３】第１実施形態の一部を切り欠いて示す側面図である。
【図４】第１実施形態の双眼鏡の眼幅を最大に調節した場合の正面図である。
【図５】第１実施形態の双眼鏡の眼幅を最小に調節した場合の正面図である。
【図６】本発明の第２実施形態の双眼鏡の眼幅を最大にし、フックを引き出した場合の正面図である。
【図７】図６の双眼鏡を側面から示す一部断面図である。
【図８】第２実施形態の双眼鏡の眼幅を最大にし、フックを格納した場合の正面図である。
【図９】図８の双眼鏡を側面から示す一部断面図である。
【図１０】第２実施形態の双眼鏡の眼幅を最小にし、フックを引き出した場合の正面図である。
【図１１】第２実施形態の双眼鏡の眼幅を最小にし、フックを格納した場合の正面図である。
【図１２】本発明の第３実施形態の双眼鏡の眼幅を最大にし、フックを格納した場合の正面図である。
【図１３】第３実施形態の双眼鏡の眼幅を最大にし、フックを引き出した場合の正面図である。
【図１４】第３実施形態の双眼鏡の眼幅を最小にし、フックを格納した場合の正面図である。
【図１５】第３実施形態の双眼鏡の眼幅を最小にし、フックを引き出した場合の正面図である。
【符号の説明】
１、２、３  双眼鏡
１０、２０、３０  ケーシング
１１、１２  接眼レンズ鏡筒
１３  転輪
４０、６０、８０  フック
７０  離脱防止ピン
８５  コイルバネ
【図１】
0004335368.tif 000002
【図２】
0004335368.tif 000003
【図３】
0004335368.tif 000004
【図４】
0004335368.tif 000005
【図５】
0004335368.tif 000006
【図６】
0004335368.tif 000007
【図７】
0004335368.tif 000008
【図８】
0004335368.tif 000009
【図９】
0004335368.tif 000010
【図１０】
0004335368.tif 000011
【図１１】
0004335368.tif 000012
【図１２】
0004335368.tif 000013
【図１３】
0004335368.tif 000014
【図１４】
0004335368.tif 000015
【図１５】
0004335368.tif 000016